(57)【要約】【課題】  映像表示装置に表示されたオブジェクトに対し、ユーザが得る立体感を向上させることのできるコンピュータプログラム及びコンピュータシステムを提供する。【解決手段】  ゲームプログラム５０ａは、制御部３０を、仮想の三次元空間を生成する仮想空間生成手段３０ｂ、仮想三次元空間を一対の仮想カメラＣＬ，ＣＲにより撮影し、視差を有する一対の仮想二次元画像を生成する視差画像生成手段３０ｃ、及び、仮想三次元空間内に仮想カメラに対面する基準面を設定し、該基準面よりも仮想カメラに近い側の近接領域１１１と、その反対側の遠隔領域１１２とで、仮想カメラから見た色の様相が異なるように設定する色様相設定手段３０ｄ、として機能させる。【選択図】図３
2014022772.tif 000002
【特許請求の範囲】
【請求項１】
コンピュータを、
オブジェクトを含む仮想の三次元空間を生成する仮想空間生成手段、
前記仮想三次元空間を一対の仮想カメラにより撮影し、視差を有する一対の仮想二次元画像を生成する視差画像生成手段、及び、
前記仮想三次元空間内に前記仮想カメラに対面する基準面を設定し、該基準面よりも前記仮想カメラに近い側の近接領域と、その反対側の遠隔領域とで、前記仮想カメラから見た色の様相が異なるように設定する色様相設定手段、
として機能させる、コンピュータプログラム。
【請求項２】
前記色様相設定手段は、１つのオブジェクトが前記基準面を跨いで位置する場合には、該オブジェクトにおいて前記近接領域に含まれる部分と前記遠隔領域に含まれる部分とで、前記仮想カメラから見た色の様相が異なるように設定する、請求項１に記載のコンピュータプログラム。
【請求項３】
前記基準面は、前記一対の仮想カメラが撮影した前記仮想三次元空間を投影する投影面に設定される、請求項１又は２に記載のコンピュータプログラム。
【請求項４】
前記色様相設定手段は、前記近接領域に存在するオブジェクトに対して、誘目性を高める処理を行う、請求項１乃至３の何れかに記載のコンピュータプログラム。
【請求項５】
前記色様相設定手段は、前記近接領域に存在するオブジェクトに対して、彩度を高める処理、明度を高める処理、輝度を高める処理、のうち少なくとも何れか一つの処理を行う、請求項１乃至４の何れかに記載のコンピュータプログラム。
【請求項６】
前記色様相設定手段は、前記遠隔領域に対して誘目性を低くする処理を行う、請求項１乃至５の何れかに記載のコンピュータプログラム。
【請求項７】
前記色様相設定手段は、前記基準面に半透明のオブジェクトを配置する、請求項１乃至６の何れかに記載のコンピュータプログラム。
【請求項８】
前記色様相設定手段は、前記遠隔領域に対して、彩度を低くする処理、明度を低くする処理、輝度を低くする処理、透過性色を重畳する処理、モノトーン化する処理、のうち少なくとも何れか一つの処理を行う、請求項１乃至７の何れかに記載のコンピュータプログラム。
【請求項９】
請求項１乃至８の何れかに記載のゲームプログラムを記憶したプログラム記憶部と、該プログラム記憶部に記憶されたプログラムを実行するコンピュータと、を備えたコンピュータシステム。
【発明の詳細な説明】
【技術分野】
【０００１】
本発明は、表示部において仮想のオブジェクトを立体表示するための、視差を有する一対の仮想二次元画像を生成する、コンピュータプログラム及びコンピュータシステムに関する。
【背景技術】
【０００２】
近年、ゲーム機やテレビなどの映像表示装置に表示されるコンテンツとして、両眼視差を利用した立体表示の可能な画像を含むものが提供されている。そして、このようなコンテンツにおいて、表示する立体画像をユーザがより立体視できるようにする提案がなされている（特許文献１参照）。なお、この特許文献では、立体表示のシステムとして裸眼での立体視を可能とするパララックス方式（視差バリア方式）を採用した例が開示されている。
【先行技術文献】
【特許文献】
【０００３】
【特許文献１】特開２０１２−３３５０
【発明の概要】
【発明が解決しようとする課題】
【０００４】
しかしながら、例えば可搬型のゲーム機などの場合、そこに備えられた映像表示装置が比較的小さいので立体感の向上が困難である。そのため、上記特許文献に記載された技術では、小さい映像表示装置において、ユーザが十分満足できる程度に三次元オブジェクトを立体表示することができない。特に、画面の手前側に飛び出して位置するように立体表示する場合は、画面が小さいと、飛び出し量が大きくなるようなコンテンツを作成するのが困難になる。
【０００５】
そこで本発明は、映像表示装置に表示されたオブジェクトに対し、ユーザが得る立体感を向上させることのできるコンピュータプログラム及びコンピュータシステムを提供することを目的とする。
【課題を解決するための手段】
【０００６】
本発明に係るコンピュータプログラムは、コンピュータを、オブジェクトを含む仮想の三次元空間を生成する仮想空間生成手段、前記仮想三次元空間を一対の仮想カメラにより撮影し、視差を有する一対の仮想二次元画像を生成する視差画像生成手段、及び、前記仮想三次元空間内に前記仮想カメラに対面する基準面を設定し、該基準面よりも前記仮想カメラに近い側の近接領域と、その反対側の遠隔領域とで、前記仮想カメラから見た色の様相が異なるように設定する色様相設定手段、として機能させる。
【０００７】
このような構成により、仮想三次元空間において仮想カメラに近い近接領域と、仮想カメラから遠い遠隔領域とで色の様相が異なる。従って、基準面より仮想カメラに近いオブジェクトに対するユーザの注意を惹くことができ、オブジェクトの立体感を向上させることができる。
【０００８】
また、前記色様相設定手段は、１つのオブジェクトが前記基準面を跨いで位置する場合には、該オブジェクトにおいて前記近接領域に含まれる部分と前記遠隔領域に含まれる部分とで、前記仮想カメラから見た色の様相が異なるように設定することとしてもよい。
【０００９】
このような構成により、基準面を跨いで位置するオブジェクトについて、基準面より手前に含まれる部分の立体感を向上させることができる。
【００１０】
また、前記基準面は、前記一対の仮想カメラが撮影した前記仮想三次元空間を投影する投影面に設定されてもよい。
【００１１】
一般的に投影面は映像表示装置の表示面に一致するように設定される。従って、上記構成により、表示面に対するオブジェクトの奥行き表現（即ち、立体感）を強調することができる。
【００１２】
また、前記色様相設定手段は、前記近接領域に存在するオブジェクトに対して、誘目性を高める処理を行うものであってもよい。
【００１３】
また、前記色様相設定手段は、前記近接領域に存在するオブジェクトに対して、彩度を高める処理、明度を高める処理、輝度を高める処理、のうち少なくとも何れか一つの処理を行うものであってもよい。
【００１４】
このような構成により、近接領域に存在するオブジェクトに対するユーザの注意を積極的に惹くことができ、オブジェクトの立体感を向上させることができる。
【００１５】
また、前記色様相設定手段は、前記遠隔領域に対して誘目性を低くする処理を行うものであってもよい。
【００１６】
また、前記色様相設定手段は、前記基準面に半透明のオブジェクトを配置することとしてもよい。
【００１７】
また、前記色様相設定手段は、前記遠隔領域に対して、彩度を低くする処理、明度を低くする処理、輝度を低くする処理、透過性色を重畳する処理、モノトーン化する処理、のうち少なくとも何れか一つの処理を行うものであってもよい。
【００１８】
このような構成により、相対的に近接領域に存在するオブジェクトに対するユーザの注意を惹くことができ、オブジェクトの立体感を向上させることができる。
【００１９】
また、本発明に係るコンピュータシステムは、上述した何れかに記載のゲームプログラムを記憶したプログラム記憶部と、該プログラム記憶部に記憶されたプログラムを実行するコンピュータと、を備えている。
【発明の効果】
【００２０】
本発明によれば、映像表示装置に表示されたオブジェクトに対し、ユーザが得る立体感を向上させることのできるコンピュータプログラム及びコンピュータシステムを提供することができる。
【図面の簡単な説明】
【００２１】
【図１】ゲーム装置（コンピュータシステム）の外観構成を示す正面図である。
【図２】ゲーム装置のハードウェア構成を示すブロック図である。
【図３】制御部の機能的構成を示すブロック図である。
【図４】仮想三次元空間を表した模式的な平面図である。
【図５】色様相設定処理を施した仮想空間の立体画像の模式図である。
【図６】立体画像の生成処理内容を示すフローチャートである。
【発明を実施するための形態】
【００２２】
以下、本発明の実施の形態に係るコンピュータプログラム及びコンピュータシステムについて、図面を参照しつつ説明する。なお、本実施の形態では、コンピュータプログラムの一例としてゲームプログラムを例示し、コンピュータシステムとして可搬型ゲーム装置を例示する。但し、本発明の適用対象はこれらに限定されず、例えば、可搬型又は据え置き型の各種コンピュータ装置、テレビ、携帯電話など、画像を含むコンテンツを表示可能な映像表示装置、及び、このような映像表示装置にて立体表示するためのコンピュータプログラムに適用することができる。
【００２３】
［ハードウェアの構成］
図１は、本発明の実施の形態に係る可搬型のゲーム装置（コンピュータシステム）1の外観構成を示す正面図である。図１に示すようにゲーム装置1は、横長の薄型直方体形状を成す下側本体2と、同様の直方体形状を成す上側本体3とを備えている。下側本体2の上辺部分と上側本体3の下辺部分との間はヒンジ4で接続されている。従って、下側本体2の前面と上側本体3の前面とが対向するように閉じたり、その状態から図１に示す状態に開いたりすることができる。
【００２４】
各本体2，3に設けられたデバイスについて概説すると、まず下側本体2の前面中央部には、例えば半透過型カラー液晶ディスプレイで構成された長方形状の第１ディスプレイ6が設けられている。この第１ディスプレイ6の表面にはタッチパネルが設けられており、これとタッチペン（図示せず）とで公知のポインティングデバイスが構成されている。
【００２５】
第１ディスプレイ6の左側には、電源ボタン7と十字キー8とが上下に配設され、右側には、２つのボタンを含む操作ボタン9と、Ａ，Ｂ，Ｘ，Ｙの４つのボタンを含む操作ボタン10とが上下に配設されている。また、操作ボタン10の下方には電源のオン／オフ状態を示す表示灯11が設けられている。更に、下側本体2の左上角部分にはＬボタン12が配設され、右上角部分にはＲボタン13が配設されている。
【００２６】
一方、上側本体３の前面中央部には、例えば半透過型カラー液晶ディスプレイで構成された長方形状の第２ディスプレイ（映像表示装置）15が設けられ、その左右には、スピーカ16が配設されている。第２ディスプレイ15は、立体視可能な画像を表示できる映像表示装置であって、例えば、パララックスバリア（parallax barrier）方式（視差バリア方式）により、左目用画像と右目用画像とを表示する。従って、ユーザは裸眼により立体視することができる。なお、立体画像の表示方式は上記に限定されない。例えば、同様に裸眼立体視のできるレンチキュラ（lenticular）方式でもよいし、専用メガネを使用する、アナグリフ（anaglyph）の原理に基づく方式、偏光フィルタを用いる方式、液晶シャッタを用いる方式などでもよい。
【００２７】
図１には図示しないが、下側本体2の上辺部分であって、ゲーム装置1を開いたときの上側本体3の背面側の部分には、本実施の形態に係るゲームプログラム（コンピュータプログラム）50a等を記録したゲームメディア50を挿脱可能なメディアインタフェース（図２のメディアインタフェース45参照）が設けられている。また、上述した下側本体2に設けられたデバイスと上側本体3に設けられたデバイスとは、ヒンジ4の近傍に設けられた多導線の帯状ケーブル5を介して電気的に接続されている。
【００２８】
図２は、ゲーム装置1の内部構成を示すブロック図である。ゲーム装置1は制御部30を備えており、該制御部30は、ＣＰＵ31、描画処理プロセッサ32、音声処理プロセッサ33、入力信号処理部34、ＲＡＭ（Random Access Memory）35、及びＲＯＭ（Read Only Memory）36を含んでいる。更にゲーム装置1は、この他にもＶＲＡＭ（Video-RAM）40、Ｄ／Ａ（Digital- Analog）変換器41、上記第１ディスプレイ6及び第２ディスプレイ15、アンプ42、上記スピーカ16、上記タッチパネル43、操作部44、メディアインタフェース45、及びバス46を備えている。そして、これらのうちＣＰＵ31、描画処理プロセッサ32、音声処理プロセッサ33、入力信号処理部34、ＲＡＭ35、ＲＯＭ36、操作部44、及びメディアインタフェース45は、バス46によって相互にデータ伝送可能に接続されている。
【００２９】
このうち操作部44は、図１に示した十字キー8、操作ボタン9，10、Ｌボタン12、及びＲボタン13を含む操作子であり、プレイヤの操作を受け付けて、その操作内容（押圧入力の有無）に応じた操作信号をＣＰＵ31へ入力する。また、操作部44には操作子以外に電源ボタン7も含まれており、該電源ボタン7が操作されると、各部に電力が供給されてゲーム装置1が起動し、各操作子への操作入力が有効になる。
【００３０】
メディアインタフェース45は、ゲーム装置1の外部から接続された記録媒体であるゲームメディア50にアクセスして、これに記憶されたゲームプログラム50a及びゲームデータ50bを読み出す。ゲームプログラム50aは、ゲーム装置1にてプレイするゲームを実行させるプログラムであり、ゲームデータ50bは、上記ゲームを実行する上で必要なデータであって、例えば各登場キャラクタや背景の画像データ、ステータスなどの情報表示用の画像データ、効果音やＢＧＭなどの音声データ、文字や記号によるメッセージデータ等が含まれる。なお、ゲームメディア50は、半導体メモリや、光ディスクの一種であるＵＭＤ（Universal Media Disc）（登録商標）などを採用することができる。
【００３１】
ＲＡＭ35には、ゲームの進行に応じてゲームメディア50から読み込まれたゲームプログラム50a及びゲームデータ50bを格納するロードエリア、並びに、ＣＰＵ31がゲームプログラム50aを処理する際に使用するためのワークエリアが設定されている。ＲＯＭ36には、ゲームメディア50に記憶されているゲームプログラム50a及びゲームデータ50bの読み出し処理を制御するプログラムなど、ゲーム装置1を動作させるための基本プログラムが記憶されている。
【００３２】
入力信号処理部34は、ユーザがタッチパネル43（第１ディスプレイ6の表面）に対してタッチペンの先端を接触させる入力操作を行った場合に、その接触点のタッチパネル43上の座標に基づいて接触点の位置情報を検出し、該位置情報を示す信号をＣＰＵ31へ出力する。
【００３３】
ＣＰＵ31は、ゲームメディア50に記録されているゲームプログラム50a及びゲームデータ50bの全部または一部を、メディアインタフェース45を通じてＲＡＭ35に読み込み、ユーザによるタッチパネル43又は操作部44に対する操作入力に応じてこれを実行し、ゲーム進行を制御する。より具体的には、ユーザ操作によりタッチパネル43又は操作部44から信号が入力されると、ＣＰＵ31は、ゲームプログラム50aに従ってその操作信号に対応する所定のゲーム進行処理を行い、その処理結果を、ゲーム進行を示す画像として第１ディスプレイ6又は第２ディスプレイ15に表示すると共に、ゲーム進行を示す音声信号をスピーカ16に出力する。
【００３４】
画像の描画は、ＣＰＵ31の指示により描画処理プロセッサ32が行う。即ち、ＣＰＵ31は、タッチパネル43又は操作部44から入力された信号に基づき、第１ディスプレイ6又は第２ディスプレイ15に表示すべき画像の内容を決定し、その内容に対して必要な描画データを描画処理プロセッサ32に生成させる。描画処理プロセッサ32は、生成した描画データに基づいて画像データを生成し、この画像データをＶＲＡＭ40に書き込む。Ｄ／Ａ変換器41は、ＶＲＡＭ40から出力された画像データを順次アナログ信号に変換し、第１ディスプレイ6又は第２ディスプレイ15へ出力（表示）する。
【００３５】
上述したように本ゲーム装置1の第２ディスプレイ15は立体画像を表示でき、その描画も上記描画処理プロセッサ32が行う。例えば、仮想三次元空間に一対の仮想カメラを配置し、描画処理プロセッサ32は、夫々で撮影した互いに視差を有する左目用及び右目用の仮想二次元画像のデータを生成する。そして、この画像データはＶＲＡＭ40において適宜のフォーマットで記録され、更にＤ／Ａ変換器41を経て第２ディスプレイ15へ出力（表示）される。第２ディスプレイ15は、この画像データを適宜の方式（本実施の形態では、パララックスバリア方式）で出力することにより、立体視可能な画像が表示される。
【００３６】
また、ＣＰＵ31は、ゲームの進行に応じて、スピーカ16から出力すべき効果音やＢＧＭ等の音声を決定し、その音声を発音するための音声データをＲＡＭ35から読み出して音声処理プロセッサ33に入力する。即ち、ＣＰＵ31は、ゲームの進行に伴って発音イベントが発生すると、その発音イベントに応じた音声データ（ゲームメディア50からロードされた音声データ）をＲＡＭ35から読み出して音声処理プロセッサ33に入力する。音声処理プロセッサ33は、ＤＳＰ（Digital Signal Processor）で構成されており、ＣＰＵ31によって入力された音声データに対して所定の効果（例えば、リバーブ、コーラスなど）を付与したのちアナログ信号に変換して、アンプ42に出力する。アンプ42は、音声処理プロセッサ33から入力された音声信号を増幅したのちスピーカ16に出力する。
【００３７】
［制御部の機能的構成］
図３は、ゲーム装置1が備える制御部30の機能的な構成を示すブロック図である。ゲーム装置1の制御部30は、ゲームメディア50から読み込んだゲームプログラム50a及びゲームデータ50bを実行することにより、ゲーム進行制御手段30a、仮想空間生成手段30b、視差画像生成手段30c、色様相設定手段30d、及び、立体画像出力手段30eなどの機能を発揮する。
【００３８】
このうちゲーム進行制御手段30aは、ユーザによるタッチパネル43又は操作部44の操作等に応じてゲームを進行させ、プレイヤキャラクタや敵キャラクタ等の行動も制御する。仮想空間生成手段30bは、ユーザが操作するプレイヤキャラクタや敵キャラクタが行動する仮想三次元空間（各キャラクタや仮想三次元空間の一部を成すオブジェクト等を含む）を生成する。視差画像生成手段30cは、前述のように、仮想三次元空間を一対の仮想カメラにより撮影し、視差を有する一対の仮想二次元画像を生成する。色様相設定手段30dは、仮想三次元空間内に仮想カメラに対面する基準面を設定し、該基準面よりも仮想カメラに近い側の近接領域と、その反対側の遠隔領域とで、仮想カメラから見た色の様相が異なるようにする（詳しくは後述）。立体画像出力手段30eは、仮想カメラにより撮影された一対の仮想二次元画像に基づき、第２ディスプレイ15にて立体画像を表示する。なお、仮想カメラや一部のオブジェクトは、例えばユーザの操作等に応じて仮想三次元空間内を移動可能になっている。
【００３９】
［立体画像の表示処理］
次に、制御部30が行う立体画像の表示処理について説明する。図４は、立体表示する仮想三次元空間（以下、「仮想空間」）を表した模式的な平面図である。ここに示す例では、仮想空間100に、三次元オブジェクトを成す矩形オブジェクト101と球形オブジェクト102とが設けられている。また、仮想空間100には、左目用画像及び右目用画像を夫々撮影するために、一対の仮想カメラCL，CRが左右に配設されている。これらの仮想カメラCL，CRは交差法（互いの光軸を交差させる方式）により配設され、図４では、オブジェクト101，102が夫々の画角内に含まれている。なお、仮想カメラCL，CRの配置には平行法（互いの光軸を平行にする方式）を用いてもよい。
【００４０】
左右の仮想カメラCL，CRの前方所定位置には、これらに対向する投影面103が設定されている。この投影面103は、左右の仮想カメラCL，LRに対して共通する単一面であり、投影面103上のものは、左右の仮想カメラCL，CRから見て視差がゼロである。図４では、矩形オブジェクト101の途中部分を横断するようにして投影面103が設定され、換言すれば、矩形オブジェクト101は投影面103を跨いで位置している。また、球形オブジェクト102は、投影面103より遠方（仮想カメラCL，CRから離れる方）に位置している。
【００４１】
仮想カメラCL，CRは、投影面103に収まる範囲内で仮想空間100を夫々で撮影し、第２ディスプレイ15には、投影面103に投影された仮想空間100が立体的に表示される。即ち、描画処理プロセッサ32は、左右の仮想カメラCL，CRの撮影画像に対応する、一対（左目用及び右目用）の仮想二次元画像データを生成する。そして、これらを例えばパララックスバリア方式に従って出力することにより、第２ディスプレイ15には、オブジェクト101，102を含む仮想空間100が立体表示される。
【００４２】
図４の場合、矩形オブジェクト101のうち、投影面103よりも手前に位置する前部101aは、第２ディスプレイ15の画面から手前に飛び出すように表示される。一方、投影面103より遠方に位置する後部101bや、球形オブジェクト102は、第２ディスプレイ15の画面の奥方向へ引っ込んで位置するように表示される。
【００４３】
［色様相設定処理］
ここで、本ゲーム装置1は、立体感をより強調するために色様相設定処理を行う。この色様相設定処理では、仮想空間100内に、仮想カメラCL，CRに対面する所定の基準面110を設定すると共に、該基準面110よりも仮想カメラCL，CRに近い側の近接領域111と、その反対側の遠隔領域112とで、異なる色の様相を設定する。以下、色様相設定処理について更に詳述する。
【００４４】
本実施の形態では、制御部30は、仮想空間100内の上記投影面103に重なるようにして基準面110を設定する。従って、図４に示す例では、矩形オブジェクト101がこの基準面110を跨いで位置し、球形オブジェクト102は基準面110より遠方に位置している。なお、図４では視認性を確保するために、投影面103に対して基準面110を若干ずらして表示している。そして、基準面110より手前の近接領域111に位置するオブジェクトに対して誘目性を高める処理、及び、基準面より遠方の遠隔領域112に対して誘目性を低くする処理、のうち、少なくとも一方を実行する。即ち、色様相設定処理には、誘目性を高める処理と誘目性を低くする処理とが含まれ得る。ここで、誘目性（attention value）とは、人の視覚的な注意を惹く度合いのことであり、誘目性が高いほど人の視覚的な注意を強く惹く。
【００４５】
誘目性を高める処理としては、例えば、彩度を高める処理、明度を高める処理、輝度を高める処理などが挙げられる。また、これらのうち複数の処理を同時に実行することとしてもよい。一方、誘目性を低くする処理としては、例えば、彩度を低くする処理、明度を低くする処理、輝度を低くする処理の他、透過性色を重畳する処理、編み目状などの微細パターンを重畳する処理、モノトーン化する処理なども挙げられる。また、これらのうち複数の処理を同時に実行することとしてもよい。
【００４６】
図５は、図４に示す仮想空間を立体表示するに際し、色様相設定処理を行ったときの立体画像の模式図である。このうち（ａ）は、近接領域111に位置するオブジェクトの表面に対して彩度を高める処理を行ったときの立体画像の模式図であり、（ｂ）は、遠隔領域112に対して彩度を低くする処理を行ったときの立体画像の模式図である。なお、比較のため、（ｃ）に、色様相設定処理を行っていない場合の立体画像の模式図を示す。
【００４７】
各オブジェクト101，102の表面には、表示フレーム毎に所定の彩度（初期値）が設定される。即ち、彩度は周辺環境（光の照度、霧などの光を散乱させる要素の有無など）に影響を受け、動画の場合には、同一箇所であっても表示されるフレーム毎に彩度の設定値が変化し得る。説明の便宜上、図４に示す状態では、矩形オブジェクト101の全表面に対し、例えば彩度の初期値が７０％に設定されているものとする。
【００４８】
まず、図５（ａ）に示す立体画像を生成する場合について説明する。図４に示すように、矩形オブジェクト101の前部101aは、基準面110の手前に位置している。従って、色様相設定手段30dは、矩形オブジェクト101のうち近接領域111に位置する前部101aの表面について、その彩度を高める処理を行う。例えば、矩形オブジェクト101の全表面の彩度は初期値が７０％であるため、前部101aの表面の彩度をそれより高い９０％に再設定（更新）する。これにより、図５（ａ）に示すように、基準面110よりも手前に位置する矩形オブジェクト101の前部101aの表面は、他の部分に比べて誘目性が向上し、ユーザの注意を喚起する。その結果、ユーザには、矩形オブジェクト101の前部101aが基準面110（即ち、第２ディスプレイ15の画面）から手前により一層飛び出しているように視認され、立体感が強調される。
【００４９】
次に、図５（ｂ）に示す立体画像を生成する場合について説明する。図４に示すように、矩形オブジェクト101の後部101bや球形オブジェクト102は、基準面110より遠方に位置している。従って、色様相設定手段30dは、矩形オブジェクト101の後部101bや球形オブジェクト102を含む遠隔領域112に対し、彩度を低くする処理を行う。例えば、矩形オブジェクト101の彩度は初期値が７０％であるため、後部101bの表面の彩度をそれより低い４０％に設定する。また、遠隔領域112に存在する他のオブジェクトや、遠隔領域112を構成する他の全要素に対しても同様に、個々に設定された初期値よりも低くなるように彩度を再設定（更新）する。これにより、図５（ｂ）に示すように、基準面110より遠方の遠隔領域112の誘目性が、基準面110より手前に存在する矩形オブジェクト101の前部101aより低くなる。換言すれば、矩形オブジェクト101の前部101aは、他の部分に比べて相対的に誘目性が向上する。その結果、ユーザには矩形オブジェクト101の前部101aが第２ディスプレイ15の画面から手前により一層飛び出しているように視認され、立体感が強調される。
【００５０】
図６は、図５に示すような立体画像を生成するときの処理内容を示すフローチャートである。この図６では、動画を構成する各フレームを、１フレーム毎に生成する場合を例示しており、このような処理は、制御部30が備える仮想空間生成手段30b、視差画像生成手段30c、及び色様相設定手段30dが分担して行う。
【００５１】
制御部30は、はじめに仮想空間を構成する各要素の設定（更新）を行う。即ち、仮想空間を構成するオブジェクトの設定（ステップS10）、光源及び仮想カメラの設定（ステップS11）、エフェクトの設定（ステップS12）などを行う。オブジェクトの設定（ステップS10）では、ポリゴン等を用いて予めモデリングされたオブジェクトについて、１フレーム経過後の位置、形状、テクスチャなどを決定する。光源の設定（ステップS11）では、１フレーム経過後の光源の位置、向き、光度などを決定し、仮想カメラの設定（ステップS11）では、１フレーム経過後の左右の仮想カメラの位置、向き、画角などを決定する。エフェクトの設定（ステップS12）では、例えば火の粉を表現する各パーティクルの位置、色、寿命などを決定し、フォグを表現するテクスチャの色やブレンド率を決定したりする。
【００５２】
次に、制御部30は、上記のようにして設定した仮想空間に基づき、二次元画像を生成するためのレンダリング処理を行う。この処理は、左目用画像及び右目用画像の夫々について実行され、細分するとソリッド処理（ステップS20）、抜き処理（ステップS21）、トランスペアレンシー処理（ステップS22）、エフェクト処理（ステップS23）、スクリーン処理（ステップS24）などが含まれる。各処理で生成されたデータは、ＲＡＭ35等に用意されたフレームバッファに順次書き込まれる。
【００５３】
レンダリング処理に含まれる各処理について説明する。まず、ソリッド処理（ステップS20）では、不透明なオブジェクトを示す二次元のフレームデータを生成し、フレームバッファに書き込む。抜き処理（ステップS21）では、フレーム画像に含まれることとなる木の葉などの平面的なオブジェクトを示すフレームデータを生成し、フレームバッファに書き込む。トランスペアレンシー処理（ステップS22）では、透明なオブジェクトを示すフレームデータを生成し、フレームバッファに書き込む。
【００５４】
エフェクト処理（ステップS23）では、例えば、火の粉などのパーティクルを示すフレームデータを生成し、フレームバッファに書き込む。また、例えば、フォグ用のテクスチャをブレンド率に応じて他のフレームデータと合成した結果を、フレームバッファに書き込む。スクリーン処理（ステップS24）では、仮想空間を構成するオブジェクト等に対して最も仮想カメラに近い位置に表示する二次元画像（例えば、プレイヤキャラクタの体力ゲージ、キャラクタの発言内容を示す文字列等）を示すフレームデータを生成し、フレームバッファに書き込む。
【００５５】
なお、図６に示すフローチャートは、説明の便宜上、各処理を図示した順序で実行するように記載しているが、実際には、採用するレンダリング方法に応じて異なる順序で実行したり、複数の処理を同時に実行したりする場合もある。また、仮想空間の状態に応じて必要な処理のみを実行すればよく、全ての処理を実行することが必要なわけではない。
【００５６】
色様相設定処理における彩度の再設定は、上記レンダリング処理に含まれるソリッド処理（ステップS20）にて実現できる。例えば、ソリッド処理において、各オブジェクトのテクスチャデータから、当該オブジェクトの表面の色情報として、対応する各画素の彩度（初期値）を取得する。一方、他のオブジェクトとの位置関係から、表示不要な部分を消去する隠面消去処理において、例えば公知のＺバッファ法により各画素の深度値（仮想カメラからの距離）を取得する。そして、この深度値を基準面と比較し、各画素が表示する対象が基準面より手前に存在するのか遠方に存在するのかを判定する。
【００５７】
その結果、基準面より手前に位置するオブジェクトに対応する画素に対しては、その彩度を初期値よりも高い値に更新する。これにより、図５（ａ）に例示したような立体画像を表示するためのフレームデータを生成することができる。また、これに替えて、ある画素について、基準面より遠方に位置する対象を表示するものと判定した場合に、当該画素の彩度を初期値よりも低い値に更新することとしてもよい。この場合には、図５（ｂ）に例示したような立体画像を表示するためのフレームデータを生成することができる。更に、上述した両方の処理を共に実行してもよい。
【００５８】
以上に説明したとおり、基準面110を境界とする近接領域111と遠隔領域112とで、異なる色の様相を設定することにより、基準面110よりも手前に位置するオブジェクトの立体感を高めることができる。
【００５９】
なお、上記実施の形態では、色の様相として彩度を設定する場合を特に詳述したが、他の様相を設定する場合も同様にして実現でき、これによっても基準面110の手前に位置するオブジェクトの立体感を高めることができる。例えば、明度や輝度を設定する場合は、彩度の場合と同様に、ソリッド処理において画素ごとの明度や輝度の初期値を取得し、各画素の深度値と基準面との比較結果に基づき、各画素の明度や輝度を再設定すればよい。
【００６０】
また、透過性色を重畳する処理によって色の様相を変更する場合は、上記と同様にして画素ごとの色情報（色相、彩度、明度、輝度など）の初期値を取得する。そして、深度値と基準値との比較結果に基づき、基準面より遠方に位置する対象を表示する画素に対して、透過性色を重畳した色情報に再設定（更新）すればよい。また、透過性色を重畳する処理においては、透過性色のフィルタを用いてもよい。この場合、当該フィルタを基準面又はその近傍に該基準面と平行に配置する。そして、仮想カメラで該フィルタを通じて仮想空間を撮影して画像データを生成すればよい。このような透過性色のフィルタとしては、例えば半透明の平面状の二次元オブジェクト（いわゆる、「書き割り」）を用いることができる。
【００６１】
あるいは、当該画素の色情報に対して任意の色を所定の率によりブレンドしてもよい。更に、各画素で表示する対象の深度値に応じて、ブレンド率を変更することにより、基準面より遠方にフォグを重畳させ、遠隔領域の誘目性を低くするようにしてもよい。また、モノトーン化処理も基本的に同様であり、基準面より遠方に位置する対象を表示する画素色を、初期の色情報に応じて、無彩色あるいは茶系色などによる濃淡表示に再設定（更新）すればよい。
【００６２】
なお、立体感を演出する対象は三次元オブジェクトに限定されない。例えば、基準面よりも手前に文字や記号、あるいは二次元画像を配置し、これらと遠隔領域とで色の様相を異ならせることにより、文字、記号、あるいは二次元画像を、画面の手前により一層飛び出して位置するように表示させることができる。また、基準面の位置は投影面と一致する態様に限定されず、投影面から手前に又は遠方に離して位置させてもよい。
【産業上の利用可能性】
【００６３】
本発明は、表示部において仮想のオブジェクトを立体表示するための、視差を有する一対の仮想二次元画像を生成する、コンピュータプログラム及びコンピュータシステムに適用することができる。
【符号の説明】
【００６４】
１      ゲーム装置（コンピュータシステム）
３０ｂ  仮想空間生成手段
３０ｃ  視差画像生成手段
３０ｄ  色様相設定手段
５０ａ  ゲームプログラム（コンピュータプログラム）
１００  仮想三次元空間
１０３  投影面
１１０  基準面
１１１  近接領域
１１２  遠隔領域
ＣＬ    仮想カメラ（左目用）
ＣＲ    仮想カメラ（右目用）
【図１】
2014022772.tif 000003
【図２】
2014022772.tif 000004
【図３】
2014022772.tif 000005
【図４】
2014022772.tif 000006
【図５】
2014022772.tif 000007
【図６】
2014022772.tif 000008